(57)【要約】      （修正有）【課題】傘の開度を多段階に保持し得る開度調節機能付き傘を提供する。【解決手段】中棒２の軸方向複数所定箇所に下ろくろ３を係脱可能にする係脱機構を備えることにより傘１の開度を多段階に調節可能とした。係脱機構は、下ろくろ３の内周面から出没可能に設けられた係止部と、中棒２に軸方向に所定間隔をおいて形成され係止部が係止する複数の係止孔６と、を備える。係止部は、下ろくろ３の内周面から突出する側に弾性付勢されている。隣り合う親骨を接近させて小間１２を閉じるための少なくとも一つの小間開閉手段を構成しているジッパー１３を備える。光透過性シートで形成された覗き窓１４が、傘布１０に取り付けられている。【選択図】図１
0003192159.tif 000002
【実用新案登録請求の範囲】
【請求項１】
中棒の軸方向複数所定箇所に下ろくろを係脱可能にする係脱機構を備えることにより傘の開度を多段階に調節可能としたことを特徴とする傘。
【請求項２】
隣り合う親骨を接近させて小間を閉じるための少なくとも一つの小間開閉手段を備えることを特徴とする請求項１に記載の傘。
【請求項３】
前記小間開閉手段が、隣り合う親骨に沿って傘布に取り付けられたジッパーであることを特徴とする請求項２に記載の傘。
【請求項４】
前記小間開閉手段は、傘の開度の段階に対応して設けられ、傘の開度を多段階に狭めたときに傘の開度の段階に応じた数の小間を閉じることにより傘の開度の各段階での閉じられていない小間のたるみを無くすように構成されていることを特徴とする請求項２又は３に記載の傘。
【請求項５】
光透過性シートで形成された覗き窓が、傘布に取り付けられていることを特徴とする請求項１〜４の何れかに記載の傘。
【請求項６】
前記係脱機構は、前記下ろくろの内周面から出没可能に設けられた係止部と、前記中棒に軸方向に所定間隔をおいて形成され前記係止部が係止する複数の係止孔と、を備えることを特徴とする請求項１〜５の何れかに記載の傘。
【請求項７】
前記係脱機構は、前記下ろくろに揺動自在に支持されたレバーと、該レバーの一端側に突起状に設けられた前記係止部と、前記レバーの他端側を弾性付勢することにより前記係止部を前記下ろくろの内周面から突出する側に弾性付勢する弾性体と、前記レバーの他端側を押圧操作するための操作部と、を備えることを特徴とする請求項６に記載の傘。
【考案の詳細な説明】
【技術分野】
【０００１】
本考案は傘に関する。
【背景技術】
【０００２】
従来、例えば、野外スポーツの試合観戦等で、日差しの強い日に日除けのために日傘を差すことがあるが、日傘を広げると隣の観戦者の邪魔になることがある。
【０００３】
また、例えば、雨天の日に狭い歩道を、傘を差して歩いていると、前方から来る人とすれ違う際に、お互いの傘がぶつかることがある。
【０００４】
これらの場合には、自分の差している傘が隣にいる人やすれ違う人等の傘の邪魔にならないように、傘を少しすぼめて差す等していた。
【考案の概要】
【考案が解決しようとする課題】
【０００５】
しかしながら、傘を少しすぼめながら持つには、片方の手で傘の手元を持ち、もう片方の手で傘の下ろくろを持たなければならず、両手がふさがり、不便である。片方の手で手荷物等を持っている場合には、そもそも両手で持てない。
【０００６】
そこで、本考案は、傘の開度を多段階に保持し得る開度調節機能付き傘を提供することを主たる目的とする。
【課題を解決するための手段】
【０００７】
上記目的を達成するため、本考案に係る傘は、中棒の軸方向複数所定箇所に下ろくろを係脱可能にする係脱機構を備えることにより傘の開度を多段階に調節可能としたことを特徴とする。
【０００８】
隣り合う親骨を接近させて小間を閉じるための少なくとも一つの小間開閉手段を備えることが好ましい。
【０００９】
前記小間開閉手段は、隣り合う親骨に沿って傘布に取り付けられたジッパーとすることが好ましい。
【００１０】
前記小間開閉手段は、傘の開度の段階に対応して設けられ、傘の開度を多段階に狭めたときに傘の開度の段階に応じた数の小間を閉じることにより傘の開度の各段階での閉じられていない小間のたるみを無くすように構成されていることが好ましい。
【００１１】
光透過性シートで形成された覗き窓が、傘布に取り付けられていることが好ましい。
【００１２】
前記係脱機構は、前記下ろくろの内周面から出没可能に設けられた係止部と、前記中棒に軸方向に所定間隔をおいて形成され前記係止部が係止する複数の係止孔と、を備えることが好ましい。
【００１３】
前記係脱機構は、前記下ろくろに揺動自在に支持されたレバーと、該レバーの一端側に突起状に設けられた前記係止部と、前記レバーの他端側を弾性付勢することにより前記係止部を前記下ろくろの内周面から突出する側に弾性付勢する弾性体と、前記レバーの他端側を押圧操作するための操作部と、を備えることが好ましい。
【考案の効果】
【００１４】
本考案に係る傘によれば、開いた時の開度を多段階に調節できるため、開度を小さくすれば傘の直径が小さくなり、野外スポーツの試合観戦等でも邪魔にならない。
【図面の簡単な説明】
【００１５】
【図１】本考案に係る傘の一実施形態の斜視図であって、図１（ａ）は傘が全開の段階、図１（ｂ）は傘を１段閉じた段階、図１（ｃ）は傘を更に１段閉じた段階を、それぞれ示す。
【図２】本考案の構成要素である係脱機構を示す外観斜視図である。
【図３】図２の係脱機構の一部切り欠き拡大斜視図である。
【図４】図１（ａ）の傘の平面図である。
【考案を実施するための形態】
【００１６】
本考案に係る傘の実施形態について、以下に図１〜図４を参照しつつ説明する。
【００１７】
本考案に係る傘１は、中棒２の軸方向の複数所定箇所に下ろくろ３を係脱可能にする係脱機構４を備えることにより傘１の開度を多段階に調節可能とされている。図示例では、傘１を開いたときに図１の（ａ）、（ｂ）、（ｃ）の３段階に調節できるようになっている。なお、本考案において「開度」とは、傘の開き度合いを意味し、傘が完全に閉じた状態を含まない。
【００１８】
傘１の開度を調節することにより、傘１の平面視での直径を調節することができる。なお、本明細書において、傘１に関して直径とは、傘１の平面視での傘布の直径を意味する。
【００１９】
係脱機構４は、図２及び図３に示すように、下ろくろ３の内周面から出没可能に設けられた係止部５と、中棒２に軸方向に所定間隔をおいて形成され係止部５が係止する複数の係止孔６と、を備えている。係止部５は、下ろくろの内周面から突出する側に弾性付勢されている。
【００２０】
より詳細には、係脱機構４は、下ろくろに揺動軸１１を介して揺動自在に支持されたレバー７と、レバー７の一端側に突起状に設けられた係止部５と、レバー７の他端側を弾性付勢することにより係止部５を下ろくろ３の内周面から突出する側に弾性付勢する弾性体８と、レバー７の他端側を押圧操作するための操作部９と、を備えている。
【００２１】
下ろくろ３を中棒２に沿ってスライドさせ、傘の所望の開度段階の位置で下ろくろのスライド動作を停止すれば、常時弾性付勢されている係止部５が、その位置にある係止孔６に自動的に係止し、傘１を所定の開度段階で保持する。操作部９を押せば、係止部５が下ろくろ３の内周面側に引っ込むので、下ろくろ３をスライドさせることができる。
【００２２】
図示例では、傘１を、図１（ａ）に示す全開にした段階、図１（ｂ）に示す様に１段閉じた段階、図１（ｃ）に示す様に更に１段閉じた段階、完全に閉じた段階（図示せず。）の４段階で係止するために、係止孔６が中棒２に所定の間隔をおいて４箇所に設けられる。
【００２３】
なお、図示例の傘は、傘を開いたときの直径が、図１（ａ）に示す全開時で１１０ｃｍ
、図１（ｂ）に示す段階で９３ｃｍ、図１（ｃ）に示す段階で８２ｃｍとなっていて、全開時には、大人と子どもが２人で使えるサイズになっている。また、図１では、係止孔６を、中棒２外周の覗き窓１４側に設けた態様を示したが、係止孔６は、係止部５が係止し得る位置であれば中棒２の外周のどこに設けてもよく、勿論覗き窓１４の反対側に設けてもよい。
【００２４】
傘１の開度を図１（ｂ）に示す段階や図１（ｃ）に示す段階に調節した場合、傘布１０の全体にたるみが生じる。このたるみを無くすために、隣り合う親骨を接近させて小間１２を閉じるための小間開閉手段を備えている。なお、小間とは、隣り合う親骨間の三角形の傘布の部分で、小間を縫い合わせることで傘布が形成される。
【００２５】
小間開閉手段は、図１及び図４に示す例では、隣り合う親骨に沿って傘布１０に縫い付けられたジッパー１３である。ジッパーに変えて、面ファスナー、フック、ボタン等の他の公知の着脱手段を用いることもできる。
【００２６】
小間開閉手段を構成しているジッパー１３は、傘１の開度の段階に対応して設けられ、傘１の開度を多段階に狭めたときに傘１の開度の段階に応じた数の小間１２を、図４に矢印で示すように閉じることにより、傘１の開度の各段階で閉じられていない小間１２のたるみを無くすように構成されている。
【００２７】
すなわち、図示例において、図１（ｂ）に示す段階の開度では１つの小間１２を閉じ、図１（ｃ）に示す段階の開度では２つの小間１２を閉じることにより、それぞれの開度において、閉じられていない小間１２の傘布１０のたるみを無くすように設計されている。なお、ジッパー１３により閉じられた小間１２の傘布１０は、図１（ｂ）及び図１（ｃ）に示すように、傘１の内側に二つ折りになって収容される。
【００２８】
野外スポーツの試合観戦等では、周囲の邪魔にならないように図１（ｂ）又は（ｃ）に示すような直径を小さくした開度の段階で傘を深くかぶって観戦するため、透明乃至半透明の光透過性シートで形成された覗き窓１４が傘布１０に縫い付けられている。これによって、前方を、十分に視認することができる。覗き窓１４の光透過性シートは、紫外線をカットするシート材が用いられるか、あるいは内側面に紫外線カットコーティングが施される。また、覗き窓１４は、必要に応じて着色することによって、まぶしさを緩和することができる。覗き窓１４は、通常、一つの小間１２に設けられている。
【００２９】
傘布１０は、通常、遮光性生地が用いられ、内側も紫外線カットコーティングされて紫外線を大幅にカットする。また、傘布１０に撥水加工がなされることにより、日傘と雨傘を兼用し得る。
【００３０】
上記説明から明らかなように、本考案によれば、傘の開度を多段階に調整することにより傘を開いたときの直径を多段階に調節できるので、開度を小さくすれば、野外スポーツの試合観戦時等において周囲の邪魔になりにくい。
【００３１】
本考案は、上記実施形態に限定されず、本考案の趣旨を逸脱しない範囲において、種々の変更が可能である。
【符号の説明】
【００３２】
１  傘
２  中棒
３  下ろくろ
４  係脱機構
５  係止部
６  係止孔
７  レバー
８  弾性体
９  操作部
１０  傘布
１２  小間
１３  ジッパー（小間開閉手段）
１４  覗き窓
【図１】
0003192159.tif 000003
【図２】
0003192159.tif 000004
【図３】
0003192159.tif 000005
【図４】
0003192159.tif 000006